(57)【要約】【課題】部品点数が少なく、スライド部の耐久性が高く、薄型のスライド式帯端末装置を得ること。【解決手段】キー操作部５４が形成された操作部筐体５と、表示パネル２を保持する表示パネル保護フレーム３と、該表示パネル保護フレームを収容し前記操作部筐体とスライド可能に係合する表示部筐体１と、を備えたスライド式携帯端末装置において、前記操作部筐体にレールガイド５１を一体成型し、前記表示パネル保護フレームに前記レールガイドとスライド可能に係合するレール部３１を一体成型し、前記表示部筐体に前記レールガイド及びレール部を外側から覆うスカート部１９を設けた。【選択図】        図１
2006319419.tif 000002
【特許請求の範囲】
【請求項１】
キー操作部が形成された操作部筐体と、表示パネルを保持する表示パネル保護フレームと、該表示パネル保護フレームを収容し前記操作部筐体とスライド可能に係合する表示部筐体と、を備えたスライド式携帯端末装置において、
前記操作部筐体にレールガイドを一体成型し、前記表示パネル保護フレームに前記レールガイドとスライド可能に係合するレール部を一体成型し、前記表示部筐体に前記レールガイド及びレール部を外側から覆うスカート部を設けたことを特徴とするスライド式携帯端末装置。
【請求項２】
前記スカート部が、前記表示パネル保護フレームと一体成型され、前記表示パネル保護フレームが前記操作部筐体の一部を構成していることを特徴とする請求項１に記載のスライド式携帯端末装置。
【請求項３】
キー操作部が形成された操作部筐体と、電子部品を実装し前記操作部筐体に収容される実装部品保護フレームと、表示パネルを保持する表示パネル保護フレームと、該表示パネル保護フレームを収容し前記操作部筐体とスライド可能に係合する表示部筐体と、を備えたスライド式携帯端末装置において、
前記実装部品保護フレームに前記操作部筐体から外に突出するレールガイドを一体成型し、前記表示パネル保護フレームに前記レールガイドとスライド可能に係合するレール部を一体成型し、前記表示部筐体に前記レールガイド及びレール部を外側から覆うスカート部を設けたことを特徴とするスライド式携帯端末装置。
【請求項４】
前記レールガイドの鉤部の下側根元部に三角溝を設け、前記レール部の上側先端部に三角凸条を設け、前記三角溝に前記三角凸条を係合させたことを特徴とする請求項１〜３のいずれか一つに記載のスライド式携帯端末装置。
【請求項５】
前記レールガイドおよびレール部は、断続的に複数が設置されていることを特徴とする請求項１〜４のいずれか一つに記載のスライド式携帯端末装置。
【発明の詳細な説明】
【技術分野】
【０００１】
本発明は、表示部と操作部とが互いにスライドするスライド式携帯端末装置に関するものである。
【背景技術】
【０００２】
従来のスライド式携帯端末装置として、前面に、ユーザに対して所定情報を画面表示する液晶表示部が設けられた本体部と、前面に、ユーザによるキー操作によって所定情報を入力するキー操作部が設けられたスライド部とから構成され、前記スライド部が、前記本体部の前記液晶表示部を覆うようにスライド移動するように、前記本体部及び前記スライド部にスライド機構を設け、スライド機構は、本体部の両側面又はスライド部にガイド溝が設けられるとともに、前記本体部の両側面又は前記スライド部に前記ガイド溝と嵌合するガイドレールが設けられて形成されたものがある（例えば、特許文献１参照）。
【０００３】
また、従来のスライド式携帯電話として、上部ハウジングと下部ハウジングからなるスライド式携帯電話において、前記上部ハウジングと下部ハウジングを相互結合させ、直線方向に前記上部ハウジングと下部ハウジングを相対スライドできるようにする少なくとも一つのスライドモジュールと、前記ハウジングに装着された回路基板と前記下部ハウジングに装着された回路基板とを電気的に連結させるための連結部材とを含み、前記少なくとも一つのスライドモジュールはそれぞれ、前記下部ハウジングとの結合のための第１及び第２固定部を有し、前記上部ハウジングと下部ハウジングが相対スライドできるようにするスライド部材と、前記上部ハウジングに固定され、前記スライド部材を収容する収容板と、前記収容板とともに前記スライド部材を支持し、前記スライド部材のスライドをガイドするためのガイドホールが形成されたガイド板とを含むものがある（例えば、特許文献２参照）。
【０００４】
【特許文献１】特開２００２−１５２３４７号公報
【特許文献２】特開２００２−３００２４３号公報
【発明の開示】
【発明が解決しようとする課題】
【０００５】
しかしながら、上記特許文献１に開示された従来のスライド式携帯端末装置は、液晶表示部が設けられた本体部の両側面に、ガイド溝又はガイド溝と嵌合するガイドレールが設けられ、スライド部が開いた状態では、ガイド溝又はガイドレールが露出していた。そのため、ガイド溝に異物が挿まったりガイドレールが損傷したりしてスライド部がスムーズにスライドできなくなり耐久性が低いという問題があった。
【０００６】
また、特許文献２に開示された従来のスライド式携帯電話は、上部ハウジングと下部ハウジングを相互結合させ、相対スライドできるようにするスライドモジュールを備え、このスライドモジュールは、下部ハウジングと結合する第１及び第２固定部を有し、上部ハウジングと下部ハウジングが相対スライドできるようにするスライド部材と、上部ハウジングに固定されスライド部材を収容する収容板と、収容板とともに前記スライド部材を支持し、スライド部材のスライドをガイドするためのガイドホールが形成されたガイド板とを有していて、部品点数が多いため組立性が悪く、また、スライドモジュールの厚さがあり携帯電話を薄型化できないという問題があった。
【０００７】
本発明は、上記に鑑みてなされたものであって、部品点数が少なく、スライド部の耐久性が高く、薄型のスライド式携帯端末装置を得ることを目的とする。
【課題を解決するための手段】
【０００８】
上述した課題を解決し、目的を達成するために、本発明のスライド式携帯端末装置は、キー操作部が形成された操作部筐体と、表示パネルを保持する表示パネル保護フレームと、該表示パネル保護フレームを収容し前記操作部部筐体とスライド可能に係合する表示部筐体と、を備えたスライド式携帯端末装置において、前記操作部筐体にレールガイドを一体成型し、前記表示パネル保護フレームに前記レールガイドとスライド可能に係合するレール部を一体成型し、前記表示部筐体に前記レールガイド及びレール部を外側から覆うスカート部を設けたことを特徴とする。
【０００９】
この発明によれば、レールガイドが操作部筺体と一体成型され、レール部が表示パネル保護フレームに一体成形されていて、別にスライドモジュールを必要としないので、部品点数が少なく、スライド式携帯端末装置を薄型にすることができる。また、レールガイド及びレール部が外側からスカート部に覆われているのでレールガイドに異物が挿まったりレール部が損傷したりすることがない。
【発明の効果】
【００１０】
この発明によれば、部品点数が少なく薄型で、スライド部の耐久性が高いスライド式携帯端末装置が得られるという効果を奏する。
【発明を実施するための最良の形態】
【００１１】
以下に、本発明にかかるスライド式携帯端末装置の実施の形態を図面に基づいて詳細に説明する。なお、この実施の形態によりこの発明が限定されるものではない。
【００１２】
実施の形態１．
図１は、本発明にかかるスライド式携帯端末装置の実施の形態１の分解斜視図であり、図２は断面図である。
【００１３】
操作部筺体５は、樹脂材料により扁平な直方体状に形成され、上面５５の前側には、キーパッドが装着されるキー操作部５４が形成されている。上面５５の後側には、両側面５３より内側に前後方向を向く左右のレールガイド５１が一体成型されている。レールガイド５１は、断面が鉤形に形成され、鉤部５２が内側を向いている。
【００１４】
後述の表示部筺体１に収容・固定され、液晶パネル等の表示パネル２を保持する表示パネル保護フレーム３は、底板３２を有する矩形の枠状に形成され、左右の枠部３３から下方へ延びる板状の脚部３４を有している。脚部３４の下端部の外側には、レールガイド５１に前後方向にスライド可能に係合するレール部３１が一体成型されている。表示パネル２は、表示パネル保護フレーム３の枠内の底板３２上に設置される。
【００１５】
表示部筺体１は、略矩形の蓋状に成形された表側筺体１１と、略矩形に形成された枠部１８の中間高さ位置に底板１６が形成された裏側筐体１５と、から構成されている。枠部１８の底板１６より下側の部分は、レールガイド５１及びレール部３１を外側から覆うスカート部１９となっている。表側筺体１１には、中央部に表示パネル２を覗く窓１２が形成され、前側にキー操作部１３が形成されている。裏側筺体１５の底板１６には、表示パネル保護フレーム３の脚部３４を操作部筺体５側へ通す２本のスリット１７が形成されている。
【００１６】
表示パネル２を装着した表示パネル保護フレーム３の脚部３４をスリット１７を通して底板１６の下方へ突出させ、表示パネル保護フレーム３の底板３２と裏側筺体１５の底板１６とを密着させて固定した後、キーパッド等を装着した表側筺体１１の周縁部を裏側筺体１５の枠部１８に固着して扁平直方体状の表示部筺体１を成形する。
【００１７】
図２に示すように、操作部筐体５のレールガイド５１と表示パネル保護フレーム３のレール部３１とを係合させると、レールガイド５１及びレール部３１は外側から裏側筐体１５のスカート部１９に覆われる。
【００１８】
上記のように構成した実施の形態１のスライド式携帯端末装置によれば、特許文献２に開示された従来のスライド式携帯電話のような、上部ハウジングおよび下部ハウジングとは別体のスライドモジュールを設ける必要がなく、また上部ハウジングと下部ハウジングとの間の隙間スペースとして、ガイド板および収容板の厚さスペースが不要となる。従って、部品点数が少なく薄型のスライド式携帯端末装置が得られる。
【００１９】
また、レールガイド５１及びレール部３１が、外側から裏側筐体１５のスカート部１９に覆われるので、レールガイド５１とレール部３１の間に異物が挿まったりレール部３１が損傷したりすることがない。
【００２０】
実施の形態２．
図３は、本発明にかかるスライド式携帯端末装置の実施の形態２の断面図である。図３において、図１および図２に示すものと同等のものには同一の符号を付し、その詳細な説明を省略する。
【００２１】
実施の形態２のスライド式携帯端末装置においては、実施の形態１の表示パネル保護フレーム３と、スカート部１９を有する裏側筐体１５（図１参照）とを一体成型して裏側筐体２０としている。他の部分は実施の形態１と変わるところはない。
【００２２】
上記のように構成した実施の形態２のスライド式携帯端末装置によれば、さらに部品点数を少なくすることができ、また、実施の形態１の底板１６が不要となるので、その厚さ分だけスライド式携帯端末装置の厚さを薄くすることができる。
【００２３】
実施の形態３．
図４は、本発明にかかるスライド式携帯端末装置の実施の形態３の断面図である。図４において、図１および図２に示すものと同等のものには同一の符号を付し、その詳細な説明は省略する。
【００２４】
実施の形態３のスライド式携帯端末装置においては、操作部筺体５は、樹脂材料により扁平な直方体状に形成され、上面５５の前側には、キーパッドが装着されるキー操作部５４（図１参照）が形成されている。上面５５の後側には、両側面５３より内側に前後方向を向く左右のスリット５８が設けられている。
【００２５】
操作部筺体５内には、その上面５５の後側に設けられた左右のスリット５８から外側に突出し、端部に前後方向を向くレールガイド６２が一体成型された左右の腕部６１を有する略矩形の実装部品保護フレーム６が収容・固定されている。レールガイド６２は、断面が鉤形に形成され、鉤部６３が内側を向いている。他の部分は実施の形態１と変わるところはない。
【００２６】
上記のように構成した実施の形態３のスライド式携帯端末装置によれば、特許文献２に開示された従来のスライド式携帯電話のような、上部ハウジングおよび下部ハウジングとは別体のスライドモジュールを設ける必要がなく、また上部ハウジングと下部ハウジングとの間の隙間スペースとして、ガイド板および収容板の厚さスペースが不要となる。従って、部品点数が少なく薄型のスライド式携帯端末装置が得られる。
【００２７】
また、レールガイド６２及びレール部３１が、外側から裏側筐体１５のスカート部１９に覆われるので、レールガイド６２とレール部３１の間に異物が挿まったりレール部３１が損傷したりすることがない。
【００２８】
実施の形態４．
図５は、本発明にかかるスライド式携帯端末装置の実施の形態４を示す左側のレールガイドおよびレール部の断面図である。
【００２９】
レールガイド５１、６２の鉤部５２、６３の下側根元部に三角溝５９を設け、レール部３１の上側先端部に三角凸条３６を設け、三角溝５９に三角凸条３６を係合させる。このようにすることにより、レールガイド５１とレール部３１との係合をガタツキのないものにすることができる。
【００３０】
実施の形態５．
図６は、本発明にかかるスライド式携帯端末装置の実施の形態５を示す操作部筐体および表示パネル保護フレームの分解斜視図である。
【００３１】
図６に示すように、レール部３１及びレールガイド５１、６２は、連続したものでなく断続的に複数が設置されたものであってもよい。断続したものとすることにより、筐体材料を節約しスライド式携帯端末装置を軽量化することができる。
【００３２】
以上説明した実施の形態１〜５のスライド式携帯端末装置では、レールガイド５１、６２の鉤部５２、６３を内側に向け、レール部３１を外側に向けて係合させたが、鉤部５２、６３を外側に向け、レール部３１を内側に向けて係合させるようにしてもよい。また、レールガイド５１は、鉤形の突起とせずに、鉤部を有する溝としてもよい。また、レールガイド５１、６２とレール部３１が係合できる形状であれば、鉤形の断面でなくてもよい。
【産業上の利用可能性】
【００３３】
以上のように、本発明は、スライド式携帯端末装置の薄型化と高寿命化に有用であり、特に、少部品化に適している。
【図面の簡単な説明】
【００３４】
【図１】本発明のスライド式携帯端末装置の実施の形態１を示す分解斜視図である。
【図２】本発明のスライド式携帯端末装置の実施の形態１を示す断面図である。
【図３】本発明のスライド式携帯端末装置の実施の形態２を示す断面図である。
【図４】本発明のスライド式携帯端末装置の実施の形態３を示す断面図である。
【図５】本発明のスライド式携帯端末装置の実施の形態４を示す左側のレールガイドおよびレール部の断面図である。
【図６】本発明のスライド式携帯端末装置の実施の形態５を示す操作部筐体および表示パネル保護フレームの分解斜視図である。
【符号の説明】
【００３５】
１  表示部筐体
１１  表側筐体
１５，２０  裏側筐体
１９  スカート部
２  表示パネル
３  表示パネル保護フレーム
３１  レール部
３４  脚部
３６  三角凸条
５  操作部筐体
５１，６２  レールガイド
５２，６３  鉤部
５３  側面
５４  キー操作部
５９  三角溝
６  実装部品保護フレーム
６１  腕部
【図１】
2006319419.tif 000003
【図２】
2006319419.tif 000004
【図３】
2006319419.tif 000005
【図４】
2006319419.tif 000006
【図５】
2006319419.tif 000007
【図６】
2006319419.tif 000008